(57)【要約】【課題】設定者による撮像装置の撮像設定を維持しつつ、誤操作などにより意図しない設定に変更してしまうのを抑止することを可能にした撮像装置を提供することである。【解決手段】撮像を行う撮像部と、撮像部の設定変更を行う撮像設定変更手段と、撮像部の設定変更を指示する操作部と、操作部に含まれるスイッチの接点位置を検出するスイッチ位置検出部と、撮像装置をキーロック状態にするためのキーロック指示部と、前記スイッチ位置検出部にて検出されたスイッチ位置情報を記憶するスイッチ位置記憶手段と、前記スイッチ位置記憶手段にて記憶したスイッチ位置記憶情報を記憶する記憶媒体と、撮像装置がキーロック状態になったことを検出するキーロック検出手段を具備する撮像装置において、キーロック状態になったことを検出した場合、スイッチ位置記憶手段により記憶媒体にスイッチ位置情報を記憶し、キーロック状態となることを特徴とする。【選択図】図１
2016201707.tif 000002
【特許請求の範囲】
【請求項１】
撮像を行う撮像部と、
撮像部の設定変更を指示する操作部と、
操作部に含まれるスイッチの状態を検出するスイッチ位置検出部と、
撮像装置をキーロック状態にするためのキーロック指示部と、
前記スイッチ位置検出部にて検出されたスイッチ位置情報を記憶するスイッチ位置記憶手段と、
前記キーロック指示部にてキーロックが指示された場合に、操作部の設定ではなくスイッチ位置記憶手段にて記憶された設定に従い前記撮像部の設定を行う撮像設定変更手段と、
前記スイッチ位置記憶手段にて記憶したスイッチ位置記憶情報を記憶する記憶媒体と、
撮像装置がキーロック状態になったことを検出するキーロック検出手段を具備する撮像装置において、
キーロック状態になったことを検出した場合、スイッチ位置記憶手段により記憶媒体にスイッチ位置情報を記憶し、キーロック状態となることを特徴とする撮像装置。
【請求項２】
記憶媒体内にスイッチ位置記憶情報が存在するか判別するスイッチ位置記憶検出部を具備する撮像装置において、
キーロックが指示された場合、前記スイッチ位置記憶検出部により、前記記憶媒体内にスイッチ位置記憶情報が検出された場合、スイッチ位置検出部にて検出されたスイッチ位置情報による撮像部の設定変更を実施せず、検出されたスイッチ位置記憶情報内のスイッチ位置情報にて撮像部の設定変更を行うことを特徴とする請求項１に記載の撮像装置。
【請求項３】
キーロックが指示された場合、スイッチ位置検出部にて検出されたスイッチ位置情報による撮像部の設定変更情報を利用するか、スイッチ位置記憶検出部により検出されたスイッチ位置記憶情報内のスイッチ位置情報を利用するか任意に選択し、選択されたスイッチ位置情報を撮像部に設定した上でキーロック状態となることを特徴とする請求項１又は請求項２に記載の撮像装置。
【請求項４】
キーロックが指示された場合、スイッチ位置検出部にて検出されたスイッチ位置情報による撮像部の設定変更情報を利用するか、検出されたスイッチ位置記憶情報内のスイッチ位置情報を利用するかの選択にてスイッチ位置検出部にて検出されたスイッチ位置情報による撮像部の設定を選択された場合、前記記憶媒体に記憶されているスイッチ位置記憶情報を初期化し、スイッチ位置検出部にて検出されたスイッチ情報をスイッチ位置記憶情報として記憶媒体に記憶することを特徴とする請求項１乃至請求項３の何れか一項に記載の撮像装置。
【請求項５】
表示を行う表示を具備する撮像装置において、
キーロック状態となった場合、スイッチ位置検出部にて検出されたスイッチ情報と、前記スイッチ位置記憶検出部にて検出されたスイッチ位置記憶情報より得られるスイッチ位置情報の差分を抽出し、前記表示部に抽出された差分情報を表示することを特徴とする請求項１乃至請求項４の何れか一項に記載の撮像装置。
【請求項６】
外部記憶媒体が前記撮像装置に装着されたか判別する外部記憶媒体検出部と、前記撮像装置に装着される外部記憶媒体を具備する撮像装置において、
外部記憶媒体が撮像装置に装着された場合、前記スイッチ位置検出部にて検出されるスイッチ位置情報をスイッチ位置記憶情報として外部記憶媒体に記憶することを特徴とする請求項１乃至請求項５の何れか一項に記載の撮像装置。
【請求項７】
外部記憶媒体が前記撮像装置に装着された場合、前記スイッチ位置記憶検出部により装着された外部記憶媒体を確認し、スイッチ位置記憶情報が検出された場合、スイッチ位置記憶情報内のスイッチ位置情報を撮像部に設定し、キーロック状態となることを特徴とする請求項６に記載の撮像装置。
【請求項８】
前記撮像装置にてスイッチ位置記憶情報を作成する場合、作成する機種情報もしくは作成するソフトウェアのバージョン情報をスイッチ位置記憶情報内に記憶することを特徴とする請求項１乃至請求項６の何れか一項に記載の撮像装置。
【請求項９】
前記スイッチ位置記憶検出部により、外部記憶媒体内にスイッチ位置記憶情報が検出され、かつユーザーが前記外部記憶媒体内のスイッチ位置記憶情報を利用する場合にて、検出した撮像装置とスイッチ位置記憶情報内の機種情報、及びバージョン情報のいずれか、もしくは両方が異なっていた場合、スイッチ位置記憶情報が撮像装置と機種情報、もしくはバージョン情報、または両方の情報が異なることを前記表示部に表示することを特徴とする請求項６乃至請求項８の何れか一項に記載の撮像装置。
【請求項１０】
装着された外部記憶媒体内のスイッチ位置記憶情報と、外部記憶媒体が装着された撮像装置の機種情報もしくはバージョン情報、または両方の情報が異なる、かつユーザーがスイッチ位置記憶情報を使用する場合、スイッチ位置記憶情報を撮像装置にて利用可能な情報に補正したうえで、スイッチ位置情報を撮像部に設定し、キーロック状態となることを特徴とする請求項６乃至請求項９の何れか一項に記載の撮像装置。
【請求項１１】
前記記憶媒体、もしくは前記外部記憶媒体内に撮像部の設定をプリセット情報として記憶し、ユーザー任意に撮像部に設定することが可能な撮像装置において、
前記プリセット情報を撮像部に設定する場合、プリセット情報の内容をスイッチ位置記憶情報として記憶し、かつキーロック状態となることを特徴とする請求項１乃至請求項１０の何れか一項に記載の撮像装置。
【発明の詳細な説明】
【技術分野】
【０００１】
本発明は、撮像装置に関し、特に撮像装置に具備される操作部材の誤操作による撮像ミスを抑止するために設けられるキーロック機構に関する。
【背景技術】
【０００２】
従来、主に商用目的の撮影に使用される撮像装置では撮像設定を変更する操作部材が撮像装置本体や接続される外部操作装置に具備されている。これは撮影中に撮像の設定を切り替えられるよう考案されたものであり、様々な撮像の機能に対応した操作部材により撮像中、否に関わらず設定変更が可能となっている。また、前記撮像装置では、多数の撮像設定項目があり、前述した操作部材と、メニューによる電子設定により撮像の設定を行っている。撮像設定は設定項目に関する有識者である設定者により設定することが通常である。しかし、設定された撮像装置にて撮像を行う撮影者は、前記設定を実施したものと同一であるとは限らず、撮影専門担当が撮影を行うことも少なくない。
【０００３】
このような状況下の中、撮影者が撮影を実施している際に、撮像装置に具備される操作部材に触れてしまい、撮影設定を意図しない設定に変更してしまうことがある。変更前の状態を覚えていれば修正は容易であるが、それ以外の場合だと設定を戻すことができず、設定が最良でないまま撮影を行わなければならない可能性がある。
【０００４】
上記のような場合を想定して、意図せず操作部材を操作してしまうのを防ぐ機能が搭載されている機器及び特許アイデアが提案されている。
【０００５】
意図せず操作することを防ぐ機能の一つにキーロック機構が存在する。この機能はキーロック機構を有効にすると各種操作部材による設定の変更が不可能となる機構である。また、操作部材の意図しない操作を抑止するのではなく、設定値そのものを記憶することによりユーザーの任意タイミングで設定者による設定を反映させるプリセット設定の機能も存在する。本機能を用いれば例え撮像設定を変更してしまっても、プリセットされた設定をロードすることにより設定時の状態に復帰可能となる。また、特許提案として開示されている件も確認できる。
【０００６】
特許文献１では撮像装置のメインスイッチにロックポジションを設け、メインスイッチがロックポジションに設定されている場合、レリーズスイッチ、もしくは特定のスイッチのみ有効とし、他のスイッチ類が無効化される特許が開示されている。また、別スイッチを設け、メインスイッチをロックポジションに設定する際の、別スイッチＯＮ／ＯＦＦ状態に合わせ、撮像設定を設定/保存／初期化させる特許もあわせて開示されている。本件を用いれば、設定を変更しない項目に関してはロックしてしまい、設定変更の可能性のある操作部材だけは設定/保存させることにより、撮影者が管理できる範囲で操作部材を有効にすることが可能となる。
【０００７】
また、特許文献２では、予め設定された撮像設定を着脱可能な記録媒体に格納し、前記記録媒体が撮像装置に装着されたときのみロックを解除し、格納されている撮像設定を撮像装置に設定する特許が開示されている。
【先行技術文献】
【特許文献】
【０００８】
【特許文献１】特開平０９−３３９７８号公報
【特許文献２】特開２００２−７７７００号公報
【発明の概要】
【発明が解決しようとする課題】
【０００９】
しかしながら、上述の従来機能、特許文献に開示された方法では、課題を解消することがでない。
【００１０】
キーロック機構では、キーロックする直前の操作部材位置により撮像装置の設定が確定する為、撮像装置の設定者が近くにいない限り容易に設定を変更することができず実質固定的な設定での運用のみとなってしまう。また、プリセット設定では設定を変更してしまった撮像設定をプリセット時の状態に戻すことも可能だが、撮影中にロックがされない為、撮影中等に操作部材に触れてしまうと、撮影設定が変更されてしまうことがある。
【００１１】
特許文献１では、撮像設定をキーロック動作にて実施するが、メインスイッチのキーロック設定状態/否、及び別の操作部材の設定/否の組み合わせで撮像装置の設定保存を実施するため、操作が煩雑なものとなる。またキーロック解除時に記憶しておいた設定をどのように扱うかの記載がなく、次回キーロック時に記憶された設定か、操作部材の設定に従うのか明記されていない。
【００１２】
特許文献２では、撮像設定が記憶された着脱可能な記録媒体を撮像装置に装着した際に、ロックを解除する件であり、撮像装置に撮像設定を反映した際は、キーロック状態ではない為、設定が変更可能となり意図しない撮像設定変更が発生しうる。
【００１３】
そこで、本発明の目的は、設定者による撮像装置の撮像設定を維持しつつ、誤操作などにより意図しない設定に変更してしまうのを抑止することを可能にした撮像装置を提供することにある。
【課題を解決するための手段】
【００１４】
上記の目的を達成するために、本発明は、撮像を行う撮像部と、撮像部の設定変更を指示する操作部と、操作部に含まれるスイッチの状態を検出するスイッチ位置検出部と、撮像装置をキーロック状態にするためのキーロック指示部と、前記スイッチ位置検出部にて検出されたスイッチ位置情報を記憶するスイッチ位置記憶手段と、前記キーロック指示部にてキーロックが指示された場合に、操作部の設定ではなくスイッチ位置記憶手段にて記憶された設定に従い前記撮像部の設定を行う撮像設定変更手段と、前記スイッチ位置記憶手段にて記憶したスイッチ位置記憶情報を記憶する記憶媒体と、撮像装置がキーロック状態になったことを検出するキーロック検出手段を具備する撮像装置において、キーロック状態になったことを検出した場合、スイッチ位置記憶手段により記憶媒体にスイッチ位置情報を記憶し、キーロック状態となることを特徴とする。
【発明の効果】
【００１５】
本発明によれば、撮像を行う撮像部と、撮像部の設定変更を指示する操作部と、操作部に含まれるスイッチの状態を検出するスイッチ位置検出部と、撮像装置をキーロック状態にするためのキーロック指示部と、前記スイッチ位置検出部にて検出されたスイッチ位置情報を記憶するスイッチ位置記憶手段と、前記キーロック指示部にてキーロックが指示された場合に、操作部の設定ではなくスイッチ位置記憶手段にて記憶された設定に従い前記撮像部の設定を行う撮像設定変更手段と、前記スイッチ位置記憶手段にて記憶したスイッチ位置記憶情報を記憶する記憶媒体と、撮像装置がキーロック状態になったことを検出するキーロック検出手段を具備する撮像装置において、キーロック状態になったことを検出した場合、スイッチ位置記憶手段により記憶媒体にスイッチ位置情報を記憶し、キーロック状態となることを特徴とすることでユーザーに意識させることなく撮像設定であるスイッチの位置を記憶することができる。
【００１６】
また、記憶媒体内にスイッチ位置記憶情報が存在するか判別するスイッチ位置記憶検出部を具備する撮像装置において、キーロックが指示された場合、前記スイッチ位置記憶検出部により、前記記憶媒体内にスイッチ位置記憶情報が検出された場合、スイッチ位置検出部にて検出されたスイッチ位置情報による撮像部の設定変更を実施せず、検出されたスイッチ位置記憶情報内のスイッチ位置情報にて撮像部の設定変更を行うことでキーロック時に現在のスイッチ位置ではなく前回キーロックした際に記憶された撮像設定にてキーロックすることができ、ユーザーがロックしていない状況でスイッチ位置を変更してもロック時の撮像設定を再現可能な撮像装置を提供することができる。
【図面の簡単な説明】
【００１７】
【図１】実施例である撮像装置における機能のブロック図
【図２】実施例１における処理フローチャート
【図３】実施例２における処理フローチャート
【図４】実施例１における処理中のユーザーに対する表示例
【図５】実施例１〜３における情報記録に関する記録フォーマットの例
【図６】実施例２における処理中のユーザーに対する表示例
【発明を実施するための形態】
【００１８】
以下に、本発明の好ましい実施の形態を、添付の図面に基づいて詳細に説明する。
【００１９】
図１は本発明の実施形態にかかわる機能ブロック図を示した図である。撮像装置100は、本発明を実施した撮像装置である。
【００２０】
CPU101は、撮像装置100における各ブロックの処理を実施するマイコンである。RAM102は、CPU101が処理するにあたり一時的なデータテンポラリとして使用することや、各処理ブロックが一時的なデータ格納エリアとして使用するRAMである。操作部103は、撮像装置100に搭載される操作部材群である。本実施例では各機能により複数の操作部材が用意されることを想定しているが、表示装置を用いたメニュー操作のように単一の操作部材で複数の機能を操作する場合でも本発明は適用可能である。
【００２１】
撮像部104は、撮像装置100における撮像処理を行うブロックである。前記操作部103や後述の表示装置を介したメニュー操作により、実装する機能の設定を変更することが可能となっている。詳細は実施例１〜３にて記載するが、ZOOM調整、FOCUS調整、IRIS調整、複数取り付けられているND FILTERの選択、等を操作部104より指示され、それに従った設定にて撮像動作を行う。スイッチ位置検出部105は、前記操作部103の操作部材の位置を検出するブロックである。
【００２２】
本実施例のように複数操作部材がある場合、全ての位置を検出する。撮像設定変更手段106は、前記撮像部104における設定変更を指示するブロックである。設定の内容は、前記スイッチ位置検出部105や、後記のキーロック検出部107や、スイッチ位置記憶検出部112より指示される。キーロック検出部107は、撮像装置100に対し、キーロックが設定されているか判別するブロックである。撮像装置100に搭載される操作部103、CPU101、または、スイッチ位置記憶検出部112から指示される場合がある。
【００２３】
スイッチ位置記憶部108は、操作部103の操作部材の位置情報を記憶するブロックである。記憶はRAM102に行う他、後記の記憶媒体109、または、外部記憶媒体110に実施することがある。記憶媒体109は、データを記録する記録媒体である。外部記憶媒体110は、撮像装置100に対し着脱可能な記憶媒体である。本実施例では撮像装置100に外部記憶媒体を装着する機構が存在する形で実施例を記載しているが、例えばUSBメモリのように汎用的な記憶媒体でも本実施例は適用可能である。外部記憶媒体検出部111は、前記外部記憶媒体110が撮像装置100に装着されたことを検出するブロックである。
【００２４】
スイッチ位置記憶検出部112は、前記記憶媒体109、及び前記外部記憶媒体110に、前記スイッチ位置記憶部108にて記憶したスイッチ位置情報が記憶されているか検出するブロックである。表示部113は、撮像装置100における表示を行うブロックである。撮像装置100からユーザーへの案内、警告や、ユーザーが撮像装置100に対し指示を行う際のユーザーインタフェース表示を行う。
【００２５】
［実施例１］
以下、図２を参照して、本発明の第1の実施例による、操作部材によるキーロック時の動作例について説明する。本処理は、撮像装置100に搭載されるキーロック操作部材(操作部103の一部)と、記憶媒体109、及びその周辺ブロックを利用した機能となっている。
【００２６】
処理が開始すると、撮像装置100は、キーロック検出部107によりキーロック状態となったか判別する(S201)。キーロック検出部107は、撮像装置100に搭載されるキーロック部材の位置を、スイッチ検出部105にて監視しており、前記キーロック部材の位置がキーロック設定の位置となった際にスイッチ位置検出部105は、キーロック検出部107に通知を行うことでS201処理が実現される。キーロック状態を検出していない場合、本処理は終了となる。またキーロック状態を検出している場合は、S202へ遷移する。
【００２７】
スイッチ位置記憶検出部112により、記憶媒体109にスイッチ位置の記憶がなされているか判別する(S202)。本処理では、まだスイッチ位置の記憶は行われておらずS203に遷移する。スイッチ位置の記憶が検出された場合は、S205に遷移する。スイッチ位置記憶を行うかユーザーに確認表示を行う。スイッチ位置を記憶したキーロックを使用しないユーザーの為に、スイッチ位置の記憶を行わない処理を選択可能とする。具体的にはCPU101の指示により、表示部113に確認表示を実施する(S203)。処理終了後、S204に遷移する。S203の表示例を図４（Ａ）に示す。
【００２８】
501は撮像装置100に搭載される表示部材の例である。502は表示部113に表示されるカーソル等、移動を指示するユーザーインタフェースに対し、指示を行う十字入力キーである。503は表示部113に表示されるユーザーインタフェースに対し決定を指示するキーである。504は表示部113によるS203の表示例である。
【００２９】
505は表示例504に表示された確認に対し、ユーザーの意図を入力する為に使用するカーソルインタフェースである。実施例では十字キー502の上下を押下する毎に、カーソル505が上下し、スイッチ位置の記憶を記憶するか、否かをユーザーが指定することが可能となっている。
【００３０】
S203にてユーザーが指定した指示に従いCPU101はスイッチ位置の記憶を実施するか否かを判別する(S204)。記憶の実施がされない場合は、処理を終了する。記憶の実施を指定された場合はS208に遷移する。スイッチ位置検出部105により、撮像装置100に搭載される操作部材の位置情報を取得する(S208)。処理終了後、S209に遷移する。
【００３１】
S208にて取得したスイッチ位置記憶情報を、スイッチ位置記憶部108を介し、記憶媒体109に記憶する(S209)。S209処理が終了するとS210に遷移する。本実施例では記憶媒体109を記憶先としているが、外部記憶媒体110を記憶先としても本実施例は適用可能である。なお、スイッチ位置記憶部108を介して記憶媒体109にスイッチ位置を記憶するにあたり、記憶方法の例を図５にて示す。
【００３２】
図５（Ａ）において、600は記憶媒体109、及び外部記憶媒体110にスイッチ位置記憶を行う際のスイッチ位置記憶フォーマット例である。601は、スイッチ位置情報を作成した機種情報を登録するエリアである。602は、スイッチ位置情報を作成した機体におけるソフトウェアのバージョン情報である。
機種情報601及びバージョン情報602は、実施例２において記載するが、外部記憶媒体110にスイッチ情報を記憶する場合、記憶した撮像装置以外にスイッチ位置記憶情報が装着される可能性がある。この場合の不都合を回避するためのデータである。
【００３３】
603は、撮像装置100に搭載されるスイッチ情報である。603は３つの情報で構成されており、それぞれスイッチの種別、形式、位置情報となっている。また、603は撮像装置100に搭載される操作部材のうち、キーロックの対象となるスイッチの数だけ情報を持つこととなり、図５（Ａ）では、603-1、603-2・・・ と、表現してある。
【００３４】
図５（Ｂ）は、実施例１におけるスイッチ位置情報フォーマット600の適用例である。機種情報610には、任意値が入力されている。
【００３５】
バージョン情報612には、任意値が入力されている。本例ではバージョン0であることを示している。バージョンの管理方法は任意で問題ないが、統一感を持って管理しないとバージョン違いが判断できなくなるため注意が必要となる。
【００３６】
613-1は、スイッチ情報１に関する情報である。種別は”ZOOM”となっており、ZOOMスイッチに関する情報であることが分かる。また、スイッチの形状はRING状となっている。スイッチの形状により、次データである位置情報の意味が変化する。613-1では、スイッチ形状がRINGとなっている。この場合、位置情報はパーセンテージ表記となる。613-2〜613-3まで同じく形状がRINGとなっており、位置情報はパーセンテージにて入力される。
【００３７】
613-4は、ND FILTERを選択するスイッチに関する情報である。スイッチ形状には数値が入力される。形状に数値が入力されている場合は、複数ポジションを持つスイッチとなる。613-4では、”4”と入力されており、４つの位置を選択できるスイッチであることが分かる。例では位置情報が”1”となっている。複数ポジションのスイッチではスイッチ種別により位置情報の内容が異なり、意味を認識するにはテーブル情報等が必要となる。このテーブル情報は、撮像装置100にて実装することとなる。613-5 〜 613-7も同じく複数ポジションスイッチとなる。
【００３８】
CPU101により、表示部113にスイッチ情報が記憶完了したことを表示する(S210)。処理終了後、S211に遷移する。図４（Ｃ）にスイッチ情報記憶完了時の表示例を示す。504は、表示部113に表示される、スイッチ情報記憶完了時の表示例である。
【００３９】
508は、記憶されたスイッチ情報の一覧表示である。操作部103に含まれる操作部材が多数あり、一画面で表示できない場合は、509のスライドバー等を利用しスクロール表示や、ページ切り替え表示にて、全情報を表示する。スクロール等の処理は十字キー502にて操作を行う。また、全情報を確認し終えた後は、十字キー502の操作にて、510にて確認の実施を入力する。確認実施は、操作部材503の押下により実施する。
【００４０】
スイッチ位置記憶検出部112にて検出されたスイッチ位置記憶に従い、撮像設定変更手段106により、撮像部104の設定を変更する。また、撮像設定変更手段は106は、キーロック検出部107の情報により、撮像部104の設定変更を禁止し、キーロック状態に遷移する(S211)。処理終了後、S212に遷移する。
【００４１】
CPU101は、表示部113に対し、撮像装置100がキーロック状態となっていることと、操作部103の操作部材の位置ではなく、スイッチ位置記憶設定による設定でキーロックとなっていることを表示する(S212)。S212が終了すると全体の処理が終了する。図４（Ｄ）に操作部材ではなく、スイッチ位置記憶設定によるキーロック中であることを示す表示例を示す。511は次回撮影するシーン数の例である。512は撮像装置100の現在の状態を示す例である。512では撮影一時停止中であることを示している。
【００４２】
513は撮影中時間情報例である。記録中はインクリメントされて表示される。514はキーロック実施中を示す表示例である。スイッチ位置記憶設定を利用しない従来のキーロックでも表示される。515はキーロック設定中、かつ操作部材の位置ではなく、スイッチ位置記憶設定情報による撮像設定にてキーロックが実施されている旨を示す表示例である。S202にてスイッチ位置記憶情報が検出された場合の処理を記載する。
【００４３】
スイッチ位置記憶設定が検出された場合、操作部103にて設定されている撮像部104の設定と、スイッチ位置記憶検出部112にて検出された撮像部104の設定の差分を抽出する。抽出された結果を、表示部113に表示する(S205)。処理終了後、S206に遷移する。S205の表示例を図４（Ｂ）に示す。
【００４４】
506が差分表示の例である。本実施例では、差がない項目に関しては表示していないが、全ての項目を表示し差のあるなしが解析可能な表示とすれば本実施例は適用可能である。507はユーザーに、現在操作部材で設定されている撮像部104の設定を利用するか、スイッチ位置記憶検出部112にて検出された記憶媒体109内にある設定を利用するか選択させるカーソルである。十字キー502にて選択し、操作部材503の押下にて選択した項目を適用する。
【００４５】
CPU101は、S205にてユーザーに指定された情報に従いスイッチ位置記憶設定の継続利用か、破棄かを決定する(S206)。ユーザーが操作部材にて指定している撮像部104の設定を利用したい場合は、S207へ遷移し、現在記憶媒体109に記憶されているスイッチ位置記憶設定を利用する場合は、S211に遷移する。スイッチ位置記憶部108は、記憶媒体109に記憶されているスイッチ位置記憶設定を初期化する(S207)。
【００４６】
以上により、操作部103にある、キーロック操作部材によるキーロック設定にて、下記の処理が可能となった。その時点での操作部材による撮像部104の設定にてスイッチ位置記憶設定を作成する処理。スイッチ位置記憶設定が検出された場合、操作部材ではなく、スイッチ位置記憶設定に従い撮像部104を設定しつつ、キーロック状態となる処理。スイッチ位置記憶設定が既存の場合、その設定を初期化する処理。
【００４７】
上記により、設定者が設定した撮像部104の設定を維持しつつ、誤操作による意図しない撮像部104の設定変更を抑止することが可能となる。
【００４８】
［実施例２］
以下、図３を参照して、本発明の第２の実施例による、外部メディア装着を契機としたキーロック時の動作例について説明する。本処理は、撮像装置100に搭載される外部記憶媒体検出部111と、外部記憶媒体110、及びその周辺ブロックを利用した機能となっている。処理が開始すると、撮像装置100は、外部記憶媒体検出部111により外部記憶媒体が装着されたか判別する(S301)。装着されていない場合、本処理は終了となる。また外部記憶媒体が装着されていた場合、S302へ遷移する。
【００４９】
スイッチ位置記憶検出部112により外部記憶媒体内部にスイッチ位置記憶情報がないか確認する(S302)。処理終了時S303に遷移する。外部記憶媒体装着によるキーロックを実施するか表示部113に表示する。表示例を７−（ａ）に示す。使用すると選択された場合にはS305に、しない場合は処理を終了する(S304)。スイッチ位置記憶検出部112により、外部記憶媒体110にスイッチ位置の記憶がなされているか判別する(S305)。本処理では、まだスイッチ位置の記憶は行われておらずS309に遷移する。スイッチ位置の記憶が検出された場合は、S306に遷移する。スイッチ位置検出部105により、撮像装置100に搭載される操作部材の位置情報を取得する(S309)。処理終了後、S310に遷移する。
【００５０】
S309にて取得したスイッチ位置記憶情報を、スイッチ位置記憶部108を介し、外部記憶媒体110に記憶する(S310)。S310処理が終了するとS311に遷移する。なお、スイッチ位置記憶部108を介して記憶媒体109にスイッチ位置を記憶する例はS209にて説明した処理と同等である。
【００５１】
CPU101により、表示部113にスイッチ情報が記憶完了したことを表示する(S311)。処理終了後、S312に遷移する。図４（Ｃ）にスイッチ情報記憶完了時の表示例を示す。
【００５２】
スイッチ位置記憶検出部112にて検出されたスイッチ位置記憶に従い、撮像設定変更手段106により、撮像部104の設定を変更する。また、撮像設定変更手段106は、キーロック検出部107の情報により、撮像部104の設定変更を禁止し、キーロック状態に遷移する(S312)。処理終了後、S313に遷移する。
【００５３】
CPU101は、表示部113に対し、撮像装置100がキーロック状態となっていることと、操作部103の操作部材の位置ではなく、スイッチ位置記憶設定による設定でキーロックとなっていることを表示する(S313)。S313が終了すると全体の処理が終了する。図４（Ｄ）に操作部材ではなく、スイッチ位置記憶設定によるキーロック中であることを示す表示例を示す。
【００５４】
S305にてスイッチ位置記憶情報が検出された場合の処理を記載する。スイッチ位置記憶設定が検出された場合、操作部103にて設定されている撮像部104の設定と、スイッチ位置記憶検出部112にて検出された撮像部104の設定の差分を抽出する。抽出された結果を、表示部113に表示する(S306)。処理終了後、S307に遷移する。S306の表示例を図４（Ｂ）に示す。
【００５５】
CPU101は、S205にてユーザーに指定された情報に従いスイッチ位置記憶設定の継続利用か、破棄かを決定する(S307)。ユーザーが操作部材にて指定している撮像部104の設定を利用したい場合は、S308へ遷移し、現在外部記憶媒体110に記憶されているスイッチ位置記憶設定を利用する場合は、S314に遷移する。スイッチ位置記憶部108は、外部記憶媒体110に記憶されているスイッチ位置記憶設定を初期化する(S308)。
【００５６】
S307にてスイッチ位置記憶情報を利用する場合の処理を記載する。S314では、CPU101によりスイッチ位置記憶情報内の機種情報、またはバージョン情報と撮像装置の同情報を比較する(S314)。ともに同一である場合、S312へ、ひとつでも異なる場合はS315に遷移する。
【００５７】
S314にて機種情報、もしくはバージョン情報が異なった場合、スイッチ位置記憶情報内の全ての情報が撮像装置100に適用できるか不明である。そのため、内容を補正するかユーザーに決定させるため、表示部113に情報を補正するかの確認を促す表示を実施する(S315)。補正を行う場合、S317へ、行わない場合、S312へ遷移する。
【００５８】
図６（Ｂ）が表示例となる。708は補正を実施するか否かを選択するカーソルである。十字キー702にて選択し、操作部材703にて決定する。スイッチ位置記憶情報内の情報を補正する(S317)。
【００５９】
本実施例では、スイッチ位置検出部105にて得られる情報と、スイッチ位置記憶情報をのスイッチ情報を比較し、ともに存在する情報に関しては、スイッチ位置記憶情報をそのまま利用し、スイッチ位置記憶情報になく、スイッチ位置検出部105のみ検出されたスイッチに関しては、スイッチ位置検出部105で検出された情報をスイッチ位置記憶情報として記憶、また、スイッチ位置記憶情報に記載され、スイッチ位置検出部105にて検出されなかったスイッチに関してはスイッチ位置記憶情報より削除する手段をとる。ただし、スイッチ位置記憶情報内に無効化情報を設ける手段等にて本実施例は実現可能である。
【００６０】
以上により、外部記憶媒体110を撮像装置100に装着したことによるキーロック設定にて、下記の処理が可能となった。
【００６１】
その時点での操作部材による撮像部104の設定にてスイッチ位置記憶設定を外部記憶装置に作成する処理。スイッチ位置記憶設定が検出された場合、操作部材ではなく、スイッチ位置記憶設定に従い撮像部104を設定しつつ、キーロック状態となる処理。スイッチ位置記憶設定が既存の場合、その設定を初期化する処理。
【００６２】
上記により、設定者が設定した撮像部104の設定を維持しつつ、誤操作による意図しない撮像部104の設定変更を抑止することが可能となる。
【００６３】
［実施例３］
さらに実施例３として、撮像装置100の撮像部設定を記憶媒体109、もしくは外部記憶媒体110にプリセットデータとして格納し、任意タイミングで撮像部104に設定可能な場合の処理について述べる。ただし、本実施例は、処理としては実施例１を同等であり、S201処理にてキーロック状態を確認するのではなく、プリセットデータを撮像部104に設定する処理に置き換えた処理となる。
【００６４】
以上により、プリセットデータを撮像部104に設定した際に、下記の処理が可能となった。プリセットデータにてスイッチ位置記憶設定を作成する処理。
【００６５】
上記により、設定者が設定した撮像部104の設定を維持しつつ、誤操作による意図しない撮像部104の設定変更を抑止することが可能となる。
【００６６】
以上、本発明の好ましい実施形態について説明したが、本発明はこれらの実施形態に限定されず、その要旨の範囲内で種々の変形及び変更が可能である。
【００６７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
100  本発明を適用した撮像装置、101  CPU、102  RAM、103  操作部、104  撮像部、
105  操作部103の操作部材の位置を検出するスイッチ位置検出部、
106  撮像部104における設定変更を指示する撮像設定変更手段、
107  撮像装置100に対し、キーロックが設定されているか判別するキーロック検出部、
108  操作部103の操作部材の位置情報を記憶するスイッチ位置記憶部、
109  データを記録する記録媒体、
110  撮像装置100に対し着脱可能な記憶媒体である外部記録媒体、
111  前記外部記憶媒体110が撮像装置100に装着されたことを検出する外部記憶媒体検出部、
112  スイッチ位置記憶情報が記憶されているか検出するスイッチ位置記憶検出部、
113  撮像装置100における表示を行う表示部
【図１】
2016201707.tif 000003
【図２】
2016201707.tif 000004
【図３】
2016201707.tif 000005
【図４】
2016201707.tif 000006
【図５】
2016201707.tif 000007
【図６】
2016201707.tif 000008